(57)【特許請求の範囲】
【請求項１】
乾燥運転時に乾燥室から排出された空気を冷却除湿する第１熱交換器と、冷却除湿された空気を加熱する第２熱交換器と、前記第１熱交換器及び前記第２熱交換器が配設され加熱された空気を前記乾燥室へ循環送風する通風路と、この通風路内に配設された循環送風用のファン装置とを備えてなる衣類乾燥機において、
前記通風路に設けられた空気取入口を開閉するものであって、前記空気取入口を開放したときに前記通風路のうちの前記乾燥室側へ連通する部分を閉塞するダンパと、
空調用吹出口を開閉するダンパとを備え、
前記空気取入口から取り入れた前記通風路外の空気を前記第２熱交換器により加熱し、この加熱された空気を、前記ファン装置により前記乾燥室を通過させて前記空調用吹出口から機外へ送り出す空調運転を実行可能なように構成したことを特徴とする衣類乾燥機。
【請求項２】
前記第１熱交換器を蒸発器とすると共に前記第２熱交換器を凝縮器とするように冷媒を流す第１の経路と、前記第１熱交換器を凝縮器とすると共に前記第２熱交換器を蒸発器とするように冷媒を流す第２の経路とを切り替える四方弁を備えたことを特徴とする請求項１記載の衣類乾燥機。
【請求項３】
前記第１熱交換器を、水と冷媒を併用する熱交換器で構成し、冷媒を水冷するように構成されていることを特徴とする請求項１または２記載の衣類乾燥機。
【請求項４】
前記第１熱交換器に加熱手段を一体的に設けたことを特徴とする請求項１ないし３のいずれかに記載の衣類乾燥機。
【発明の詳細な説明】
【技術分野】
【０００１】
本発明は、衣類の乾燥用にヒートポンプを具えた衣類乾燥機に関する。
【背景技術】
【０００２】
従来より、衣類乾燥機において、衣類の乾燥用にヒートポンプ（冷凍サイクル）を具えたものは、乾燥性能が良く、エネルギーの省減に効果があるものとして注目されている。このヒートポンプを具えた衣類乾燥機においては、衣類を収容するドラム（乾燥室）内の空気を、ヒートポンプの蒸発器と凝縮器とを配設した通風路を通して循環させている。この構成の場合、蒸発器で空気を冷却除湿し、凝縮器で空気を加熱して、ドラムに逐次送り込み、そして、衣類から水分を奪った空気を通風路に通すということを繰り返すことにより、衣類を乾燥させるようにしている。
【０００３】
また、上記ヒートポンプを具えた衣類乾燥機に空調機能を付加して、該衣類乾燥機が設置されている室内を該衣類乾燥機により冷暖房するようにした構成が考えられている（例えば特許文献１参照）。
【特許文献１】特開平９−５６９９２号公報
【発明の開示】
【発明が解決しようとする課題】
【０００４】
しかし、上記従来構成の衣類乾燥機においては、衣類の乾燥運転用のファン装置を設けていると共に、この乾燥運転用のファン装置とは別に空調運転用のファン装置を設けているため、ファン装置の配設スペースが大きくなると共に、製造コストが高くなるという問題点があった。
【０００５】
そこで、本発明の目的は、ファン装置の配設個数を減らして、ファン装置の配設スペースを小さくできると共に、製造コストを低減することができる衣類乾燥機を提供するにある。
【課題を解決するための手段】
【０００６】
本発明の衣類乾燥機は、乾燥運転時に乾燥室から排出された空気を冷却除湿する第１熱交換器と、冷却除湿された空気を加熱する第２熱交換器と、前記第１熱交換器及び前記第２熱交換器が配設され加熱された空気を前記乾燥室へ循環送風する通風路と、この通風路内に配設された循環送風用のファン装置とを備えてなる衣類乾燥機において、前記通風路に設けられた空気取入口を開閉するものであって、前記空気取入口を開放したときに前記通風路のうちの前記乾燥室側へ連通する部分を閉塞するダンパと、空調用吹出口を開閉するダンパとを備え、前記空気取入口から取り入れた前記通風路外の空気を前記第２熱交換器により加熱し、この加熱された空気を、前記ファン装置により前記乾燥室を通過させて前記空調用吹出口から機外へ送り出す空調運転を実行可能なように構成したところに特徴を有する。
【発明の効果】
【０００７】
上記手段によれば、衣類の乾燥運転時において、加熱された空気を乾燥室内に循環送風するためのファン装置を、空調運転時に、加熱された空気を乾燥室を通過させて空調用吹出口から機外へ送り出すファン装置として兼用するように構成したので、従来構成に比べて、ファン装置の配設個数を減らすことができる。
【発明を実施するための最良の形態】
【０００８】
以下、本発明をドラム式洗濯乾燥機に適用した第１の実施例について、図１ないし図３を参照しながら説明する。まず、図１は本実施例の洗濯乾燥機の概略全体構成を示す縦断側面図である。この図１に示すように、洗濯乾燥機の外箱１の内部には、水槽２が配設されており、この水槽２の内部に回転槽（ドラム）３が横軸を軸芯として回転可能に配設されている。
【０００９】
水槽２及び回転槽３は、ともに円筒状を成すものであり、前側（図１中、左側）の端面部にそれぞれ開口部４，５が設けられている。このうち、回転槽３の開口部５は洗濯物（衣類）出し入れ用であり、それを水槽２の開口部４が囲繞している。又、水槽２の開口部４は、外箱１の前面部に形成された洗濯物出し入れ用の開口部６にベローズ７を介して連なっている。外箱２１の開口部６には、扉８が開閉可能に設けられている。
【００１０】
回転槽３の開口部５の周囲には、例えば液体封入形の回転バランサ９が設けられている。回転槽３の周側部（胴部）のほゞ全域には、孔１０が形成されている（一部のみ図示）。この孔１０は、洗濯時及び脱水時に通水孔として機能し、乾燥時には通風孔として機能するものである。加えて、回転槽３の周側部の内面には、複数のバッフル１１が突設されており、回転槽３の後側の端面部には、そこの中心と同心の環状配置にて複数の温風導入口１２が形成されている。
【００１１】
また、水槽２における前側の端面部の上部（前記開口部４より上方の部分）には、温風出口１３が形成されている。水槽２の後側の端面部の上部には、前記温風導入口１２の回転軌跡に対向させて温風入口１４が形成されている。このほか、水槽２の底部の最後部には、排水口１５が形成されており、この排水口１５には排水弁１６が水槽２の外で接続されている。更に、排水弁１６には排水ホース１７が接続されており、これらにより水槽２内の水を機外に排出するように構成されている。
【００１２】
水槽２の背面部にはモータ１８を取付けられており、このモータ１８の回転軸１９は、水槽２内に突入されており、該回転軸１９の先端部に、前記回転槽３の後側の端面部の中心部が取付けられている。これにより、回転槽３は水槽２に同軸状に回転可能に支持されている。なお、水槽２は、複数のサスペンション２０（１つのみ図示）により前記外箱１に弾性支持されており、その支持形態は、水槽２の軸方向が前後となる横軸状で、しかも前上がりの傾斜状である。従って、この水槽２に上述のように支持された回転槽３も、同形態となっている。
【００１３】
モータ１８は、アウターロータ形であり、更に、薄形のブラシレスＤＣモータであって、回転槽３を回転させる駆動装置として機能する。
水槽２の下方（外箱１の底面上）には、台板２１が配置されており、この台板２１上に通風ダクト２２が配置されている。この通風ダクト２２の前端部の上部には、吸風口２３が形成されており、この吸風口２３に、前記水槽２の温風出口１３が還風ダクト２４及び接続ホース２５を介して接続されている。なお、還風ダクト２４は前記水槽２の開口部４の左側を迂回するように配管されている。
【００１４】
一方、通風ダクト２２の後端部には、循環送風用のファン装置である送風機２６のケーシング２７が連続するように配設されている。このケーシング２７の出口部２８は、接続ホース２９及び給風ダクト３０を介して、前記水槽２の温風入口１４に接続されている。なお、給風ダクト３０は、前記モータ１８の左側を迂回するように配管されている。
【００１５】
上記構成の場合、還風ダクト２４、接続ホース２５、通風ダクト２２、送風機２６のケーシング２７、接続ホース２９及び給風ダクト３０により、水槽２の温風出口１３と温風入口１４とを接続することにより、通風路３１が構成されている。
【００１６】
尚、上記送風機２６は、例えば遠心ファンで構成されており、ケーシング２７の内部に設けられた遠心羽根車３２と、ケーシング２７の外部に設けられ上記遠心羽根車３２を回転させるモータ３３とを有している。
【００１７】
また、通風路３１の中の通風ダクト２２の内部には、前部に第１熱交換器である例えば蒸発器３４が配置されており、後部に第２熱交換器である例えば凝縮器３５が配置されている。これら蒸発器３４及び凝縮器３５は、いずれも詳しくは図示しないが、冷媒流通パイプに伝熱フィンを細かいピッチで多数配設して成るフィン付きチューブ形のものであり、熱交換性に優れている。蒸発器３４及び凝縮器３５の伝熱フィンの各間を、通風ダクト２２内を流れる風が通るようになっている。
【００１８】
そして、蒸発器３４及び凝縮器３５は、図２に示すように、圧縮機３６及び絞り弁（特には電子式の絞り弁）３７と共に、ヒートポンプ３８を構成している。このヒートポンプ３８においては、接続パイプ３９によって、圧縮機３６、凝縮器３５、絞り弁３７、蒸発器３４の順にこれらをサイクル接続しており（冷凍サイクル）、圧縮機３６が作動することによって冷媒を循環させるように構成されている。
【００１９】
さて、通風路５１における還風ダクト２４の上端部の前面部には、図１及び図３に示すように、空調用吹出口４０が前方斜め上方へ突出するように形成されている。この空調用吹出口４０は、接続ホース４１及び連通路４２を介して、洗濯乾燥機の外箱１の前面部の上部に開口する空調出口部４３に接続されている。尚、空調出口部４３には、外気が流通可能な網状部材やルーバー等が設けられている。また、上記空調用吹出口４０は、水槽２の開口部４に形成された温風出口１３に対向しており、これにより、ドラム３内からの空気は、上記温風出口１３及び空調用吹出口４０をスムーズに流れ、更に、接続ホース４１及び連通路４２を通って空調出口部４３から吹き出されるようになっている。
【００２０】
そして、空調用吹出口４０には、ダンパ（シャッタ）４４が支軸４５により前後に回動可能に設けられている。このダンパ４４は、図示しないモータや電磁石等の駆動装置により回動されて空調用吹出口４０を開閉するように構成されており、衣類の乾燥運転時は空調用吹出口４０を閉鎖し、空調運転時は空調用吹出口４０を開放するように構成されている。
【００２１】
一方、通風路３１における還風ダクト２４の下部の前面壁には、空気取入口４６（図３参照）が形成されている。この空気取入口４６には、ダンパ（シャッタ）４７が支軸４８により前後に回動可能に設けられている。このダンパ４７は、図示しないモータや電磁石等の駆動装置により回動されて空気取入口４６を開閉するように構成されており、衣類の乾燥運転時は空気取入口４６を閉鎖し、空調運転時は空気取入口４６を開放すると共に還風ダクト２４（通風路３１）の回転槽３側へ連通する部分を閉塞するように構成されている。この場合、ダンパ４７は、通風路３１の閉鎖、開放の切換えをする風路切換装置としても機能している。
【００２２】
また、外箱１の後面部の上部には、洗濯乾燥機の機外の空気を外箱１内に導入するための外気吸入口４９が設けられている。この外気吸入口４９には、外気が流通可能な網状部材が設けられている。
【００２３】
尚、外箱１内の上部には、洗濯乾燥機の制御に必要な電源系の制御部５０、表示系の制御部５１、水槽２内に給水するための給水弁５２、給水ケース５３、及び、給水ホース５４等が配設されている。
【００２４】
次に、上記構成の洗濯乾燥機の作用について説明する。上記洗濯乾燥機において、標準的な運転コースが開始されると、最初に洗濯（洗い及びすすぎ）運転が開始される。この洗濯運転では、給水弁５２から給水ケース５３及び給水ホース５４を経て水槽２内に給水する動作が行われ、続いて、モータ１８が駆動されることにより、回転槽３が低速で正逆両方向に交互に回転される。
【００２５】
洗濯運転が終了すると、次に、脱水運転が開始される。この脱水運転では、水槽２内の水を排出した後、モータ１８により回転槽３を高速で一方向に回転させる動作が行われる。これにより、回転槽３内の洗濯物は遠心脱水される。
【００２６】
脱水運転が終了すると、次に、乾燥運転が実行される。この乾燥運転では、図１に実線で示すように、ダンパ４４が、還風ダクト２４の空調用吹出口４０を閉鎖をするようにセットされると共に、ダンパ４７が、図１に実線で示すように、還風ダクト２４の空気取入口４６を閉鎖をするようにセットされる。この状態で、回転槽３を低速で正逆両方向に回転させつつ、送風機２６のモータ３３を作動させる。すると、遠心羽根車３２の送風作用で、図１に実線矢印Ａで示すように、水槽２内の空気が温風出口１３から通風路３１の還風ダクト２４及び接続ホース２５を経て通風ダクト２２内に流入される。
【００２７】
そして、このときには、ヒートポンプ３８の圧縮機３６の作動が開始される。これにより、ヒートポンプ３８に封入された冷媒が圧縮されて高温高圧の冷媒となり、その高温高圧の冷媒が凝縮器３５に流れて、通風ダクト２２内の空気と熱交換する。その結果、通風ダクト４２内の空気が加熱され、反対に、冷媒の温度は低下して液化される。この液化された冷媒が、次に、絞り弁３７を通過して減圧された後、蒸発器３４に流入し、気化する。それにより、蒸発器３４は通風ダクト２２内の空気を冷却する。蒸発器３４を通過した冷媒は圧縮機３６に戻る。
【００２８】
この構成の場合、水槽２内から通風ダクト２２内に流入した空気は、蒸発器３４で冷却されて除湿され、その後に凝縮器３５で加熱されて温風化される。そして、その温風が接続ホース２９、給風ダクト３０を経て、温風入口１４から水槽２内に供給され、更に、温風導入口１２から回転槽３内に供給される構成となっている。
【００２９】
そして、回転槽３内に供給された温風は洗濯物の水分を奪った後、温風出口１３から還風ダクト２４及び接続ホース２５を経て通風ダクト２２内に流入するようになっている。このようにして、蒸発器３４と凝縮器３５を有する通風ダクト２２と回転槽３との間を空気が循環することにより、回転槽３内の洗濯物が乾燥される。従って、この場合、回転槽３内は乾燥室として機能する。
【００３０】
以上に対して、洗濯乾燥機が設置された室内の暖房（空調）を行うときには、図３に示すように、ダンパ４４が、還風ダクト２４の空調用吹出口４０を開放するようにセットされると共に、ダンパ４７が、還風ダクト２４の空気取入口４６を開放し、且つ、還風ダクト２４の水槽２（回転槽３）側に連通する部分を閉鎖するようにセットされる。この状態で、ヒートポンプ３８の圧縮機３６の作動が開始されると共に、送風機２６が作動されるようになっている。
【００３１】
これによって、図３に破線矢印Ｂで示すように、通風ダクト２２外の空気が空気取入口４６から通風ダクト２２内に吸入されて、蒸発器３４で冷却されて除湿され、その後に凝縮器３５で加熱されて温風化される（上述の乾燥運転時の空気流と同様）。そして、この温風が接続ホース２９、給風ダクト３０を経て、温風入口１４から水槽２内に供給され、更に、温風導入口１２から回転槽３内に供給される。
【００３２】
続いて、回転槽３内に供給された温風は、回転槽３内を通り、温風出口１３から還風ダクト２４内に流入し、空調用吹出口４０、接続ホース４１及び連通路４２を経て空調出口部４３から機外の前方に吐出するように構成されている。これにより、洗濯乾燥機が設置された室内が暖房されるようになる。尚、上記温風の吐出動作に伴って、外箱１の外気吸入口４９からは、機外の空気が外箱１内（通風ダクト２２外）に吸い込まれる。
【００３３】
このような構成の本実施例によれば、衣類の乾燥運転時において、加熱された空気を回転槽３（乾燥室）内に循環送風するための送風機２６を、空調運転時に、加熱された空気を回転槽３（乾燥室）を通過させて空調用吹出口から機外へ送り出す送風機として兼用するように構成したので、従来構成に比べて、送風機（ファン装置）の配設個数を減らすことができる。
【００３４】
更に、上記実施例では、空調用吹出口４０にダンパ４４を設けると共に、空気取入口４６にダンパ４７を設けることにより、送風機の配設個数を減らす構成を実現するように構成したので、全体の構成を簡単化できると共に、製造コストを安くすることができる。
【００３５】
また、上記実施例においては、洗濯乾燥機の外箱１の前面部の上部に空調出口部４３を配設したので、空調運転時に空調出口部４３から吹き出した温風がユーザーの身体腰部から上半身に当たることから、ユーザーが入浴のために着替えるような場合に、暖房（空調）が最も効果的になされる。ちなみに、従来構成（特許文献１）では、空調運転用の吹出口が、衣類乾燥機本体の前面の下部に配設されているので、吹出口から吹き出した温風（または冷風）がユーザーの身体腰部から上半身に当たらないことから、冷暖房能力が不足するという不具合があった。
【００３６】
尚、上記第１の実施例において、暖房運転時には、第１熱交換器である蒸発器３４は吸熱を続けるため、長時間運転を継続すると、温度が下がり続け、着霜による性能劣化や、冷媒が蒸発しきれずに液バックするなどの弊害が生ずるおそれがある。これを回避する対策としては、蒸発器３４（第１熱交換器）に加熱手段である例えばヒータを一体的に設け、このヒータにより蒸発器３４を常時または適時加熱するように構成することが好ましい。このように構成すると、着霜を防止できると共に、蒸発器３４で冷媒を完全に蒸発させることができ、安定した暖房運転を提供することができる。
【００３７】
図４は、本発明の第２の実施例を示すものである。尚、第１の実施例と同一構成には、同一符号を付している。この第２の実施例では、空気取入口４６を開閉するダンパ５６を、開放時に外方へ向けて開くように構成している。また、空調用吹出口４０を開閉するダンパ５７を、空調用吹出口４０を開放したときに、還風ダクト２４のうちの接続ホース２５（通風ダクト２２）側に連通する部分を閉塞するように配設する構成となっている。この場合、ダンパ５７は、通風路３１の閉鎖、開放の切換えをする風路切換装置としても機能している。
【００３８】
尚、上述した以外の第２の実施例の構成は、第１の実施例の構成と同じ構成となっている。従って、第２の実施例においても、第１の実施例とほぼ同じ作用効果を得ることができる。
【００３９】
また、上記第２の実施例においては、送風機２６を通風ダクト２２内における凝縮器３５の下流側に配設したが、これに代えて、送風機を通風ダクト２２内における前部、即ち、蒸発器３４の上流側に配設し、該送風機により生成した風を蒸発器３４へ向けて押し込むように送風する構成としても良い。
【００４０】
図５は、本発明の第３の実施例を示すものである。尚、第１の実施例と同一構成には、同一符号を付している。この第３の実施例では、図５に示すように、第１熱交換器である蒸発器３４及び第２熱交換器である凝縮器３５と、圧縮機３６との間に四方弁５８を配設した。この構成の場合、四方弁５８を実線の経路に切り替えることにより、第１熱交換器を蒸発器３４とすると共に、第２熱交換器を凝縮器３５とする運転態様１に切り替えることができる。そして、四方弁５８を破線の経路に切り替えることにより、第１熱交換器３４を凝縮器とすると共に、第２熱交換器３５を蒸発器とする運転態様２に切り替えることが可能となる。
【００４１】
そして、上記構成において、運転態様１に切り替えた場合は、第１の実施例と同様に、空調運転時に暖房を実行することができる。これに対して、運転態様２に切り替えた場合には、空調運転時に冷房を実行することができる。尚、上述した以外の第３の実施例の構成は、第１の実施例の構成と同じ構成となっている。従って、第３の実施例においても、第１の実施例とほぼ同じ作用効果を得ることができる。特に、第３の実施例によれば、四方弁５８により第１熱交換器３４及び第２熱交換器３５の機能を切り替えるように構成したので、空調運転時に暖房及び冷房を実行することができる。尚、上記四方弁５８を、第２の実施例に組み込むように構成しても良い。
【００４２】
図６は、本発明の第４の実施例を示すものである。尚、第３の実施例と同一構成には、同一符号を付している。第３の実施例において、第１熱交換器３４を凝縮器として使用する冷房機能（前記運転態様２）を実行する場合、凝縮熱３４の放熱ができないため、長時間の使用は困難である。これを回避するために、第４の実施例では、第３の実施例の第１熱交換器３４を、水と冷媒を併用する熱交換器（いわゆる水熱交）５９（図６（ａ）及び（ｂ）参照）で構成し、冷媒を水冷するように構成した。
【００４３】
上記熱交換器５９は、詳細には図６（ａ）及び（ｂ）に示すように、例えば銅製の冷媒流通パイプ６０に例えばアルミニウム製の伝熱フィン６１を取着して成るもので、その冷媒流通パイプ６０は、上下に蛇行するものの列６０ａが、両側の下部又は上部の端部でそれぞれＵ形部６０ｂにより前後に連なって、複数列存している。又、それに対し、伝熱フィン６１は多数が左右に列して存している。
【００４４】
加えて、熱交換器５９には、冷却装置６２を組み込んでいる。この冷却装置６２も、詳細には例えば銅製の通水パイプ６３から成るもので、その通水パイプ６３の上下に蛇行するものの列６３ａが、熱交換器５９の冷媒流通パイプ６０の列６０ａの前後２列ずつの各間に位置して、右側の上部の端部でそれぞれＵ形部６３ｂにより前後に連なって複数存している。従って、熱交換器５９の冷媒流通パイプ６０の列６０の２列に対して、冷却装置６２の通水パイプ６３の列６３ａは１列存する、要するに２：１の関係としている。
【００４５】
伝熱フィン６１は冷却装置６２の通水パイプ６３にも取着する構成となっており、この構成で、通水パイプ６３に水を流すことにより、熱交換器５９を、通水パイプ６３に流れる水によって、伝熱フィン６１を媒体として伝熱させ、冷却するように構成されている。また、冷媒流通パイプ６０における冷媒の流れと通水パイプ６３における水の流れは、対向流となるように構成されている。尚、第２熱交換器３５は、冷却装置６２を設けない熱交換器５９とほぼ同じ構成となっている。
【００４６】
更に、上記構成の熱交換器５９の通水パイプ６３の入口部６３ｃは、接続チューブ（図示しない）を介して給水弁５２に直接接続されている。また、通水パイプ６３の出口部６３ｄは、接続チューブ（図示しない）を介して排水弁１６近傍の排水経路に接続されている。尚、出口部６３ｄに接続された排水用の接続チューブの一部分は、逆流を防ぐために、洗濯水位よりも高い位置を経由するように構成されている。
【００４７】
尚、上述した以外の第４の実施例の構成は、第３の実施例の構成と同じ構成となっている。従って、第４の実施例においても、第３の実施例とほぼ同じ作用効果を得ることができる。特に、第４の実施例によれば、第１熱交換器３４を、水と冷媒を併用する熱交換器５９で構成し、冷媒を水冷するように構成したので、第１熱交換器３４を凝縮器として使用する冷房機能を実行する場合に、凝縮熱の放熱を十分に行なうことができるため、長時間の使用を実現できる。
【００４８】
図７は本発明の第５の実施例を示すものである。尚、第１の実施例と同一構成には、同一符号を付している。この第５の実施例では、加熱用のヒータ例えばシーズヒータ６４を還風ダクト２４内の接続ホース２５に近い側の部分に配設している。この構成の場合、回転槽３内に送る空気をシーズヒータ６４で加熱することにより、該空気の温度を高くすることができる。
【００４９】
尚、上述した以外の第５の実施例の構成は、第１の実施例の構成と同じ構成となっている。従って、第５の実施例においても、第１の実施例とほぼ同じ作用効果を得ることができる。特に、第５の実施例によれば、回転槽３内に送る空気をシーズヒータ６４で加熱する構成としたので、回転槽３内に送る空気の温度を高くし得ることから、空調（暖房）運転時の暖房効果をより一層高めることができる。尚、上記シーズヒータ６４を、第２ないし第４の実施例にそれぞれ組み込むように構成しても良い。
【００５０】
以上、本発明の複数の実施例について説明したが、本発明はそれらに限られるものではなく、特に洗濯乾燥機全体としては、上述の横軸形に限られず、水槽及び回転槽を縦軸状に有する縦軸形であっても良い。また、本来的には洗濯と乾燥の両機能を有する洗濯乾燥機に限られず、乾燥機能のみを有する衣類乾燥機に適用できるなど、要旨を逸脱しない範囲内で適宜変更して実施し得る。
【図面の簡単な説明】
【００５１】
【図１】本発明の第１の実施例を示す洗濯乾燥機の乾燥運転時の縦断側面図
【図２】ヒートポンプの構成図
【図３】空調運転時の図１相当図
【図４】本発明の第２の実施例を示す図３相当図
【図５】本発明の第３の実施例を示す図２相当図
【図６】本発明の第４の実施例を示すもので、（ａ）は熱交換器の斜視図、（ｂ）は熱交換器の上面図
【図７】本発明の第５の実施例を示す図１相当図
【符号の説明】
【００５２】
図面中、１は外箱、２は水槽、３は回転槽、８は扉、１０は孔、１２は温風導入口、１３は温風出口、１４は温風入口、１５は排水口、１８はモータ、１９は回転軸、２２は通風ダクト、２３は吸風口、２４は還風ダクト、２５は接続ホース、２６は送風機（ファン装置）、２７はケーシング、２８は出口部、２９は接続ホース、３０は給風ダクト、３１は通風路、３２は遠心羽根車、３３はモータ、３４は蒸発器（第１熱交換器）、３５は凝縮器（第２熱交換器）、３６は圧縮機、３７は絞り弁、３８はヒートポンプ、３９は接続パイプ、４０は空調用吹出口、４１は接続ホース、４２は連通路、４３は空調出口部、４４はダンパ、４６は空気取入口、４７はダンパ、４９は外気吸入口、５２は給水弁、５３は給水ケース、５４は給水ホース、５５は送風機、５６はダンパ、５７はダンパ、５８は四方弁、５９は熱交換器、６０は流通パイプ、６１は伝熱フィン、６２は冷却装置、６３は通水パイプを示す。
【図１】
0004791882.tif 000002
【図２】
0004791882.tif 000003
【図３】
0004791882.tif 000004
【図４】
0004791882.tif 000005
【図５】
0004791882.tif 000006
【図６】
0004791882.tif 000007
【図７】
0004791882.tif 000008